(57)【特許請求の範囲】
【請求項１】
回動体及びこの回動体を回動可能に支持する支持体のいずれか一方に備えられるストライカと、これらの他方に備えられて回動体の所定の往動位置でこのストライカを捕捉した後に移動して回動体の往動終了位置への往動をアシストする受け部材とを備えてなるアシスト機構における前記ストライカのポジショニング機構であって、
前記受け部材を備えた本体におけるストライカの進入空間内に取り外し可能に取り付けられる誘導具と、
前記ストライカの取付ベースに備えられる調整構造とよりなり、
前記調整構造は、前記進入空間へのストライカの進入方向及びこの進入方向に略直交する方向に前記取付ベースにおけるストライカのマウント部分を移動可能とする可動支持手段と、外部からの操作により前記マウント部分が前記移動をしないように固定する固定手段とを有しており、
前記進入空間内に誘導具を取り付け、前記回動体に取付ベースを取り付け且つ前記マウント部分にストライカを取り付けない状態で、前記回動体を往動終了位置に往動させたときに、前記誘導具の内面により前記マウント部分が、このマウント部分にその後取り付けられる前記ストライカが前記受け部材に適切に捕捉される位置に位置づけられるように、移動されるようになっていることを特徴とするポジショニング機構。
【請求項２】
誘導具は、進入空間へのストライカの進入方向に沿った案内面と、この進入方向に略直交する当接面とを備えていることを特徴とする請求項１に記載のポジショニング機構。
【請求項３】
取付ベースは、進入空間へのストライカの進入方向に移動する第一スライダと、この進入方向に略直交する方向に移動する第二スライダと、回動体及び支持体のいずれか一方に取り付けられる台座とを有し、
前記第一スライダにマウント部分を備えさせると共に、この第一スライダを前記第二スライダに前記移動可能に支持し、かつ、この第二スライダを前記台座に前記移動可能に支持して可動支持手段を構成させていることを特徴とする請求項１又は請求項２に記載のポジショニング機構。
【請求項４】
固定手段は、第二スライダに移動可能に支持されると共に、第一スライダに形成させた第一被掛合部に対する第一掛合部と、台座に形成させた第二被掛合部に対する第二掛合部とを備え、外部からの操作によりこれら被掛合部に掛合部を掛合させない非ロック位置からこれら被掛合部に掛合部を掛合させるロック位置に移動されるロック体であることを特徴とする請求項３に記載のポジショニング機構。
【請求項５】
マウント部分は、軸状をなすストライカ構成体の挿通部を有していると共に、この挿通部にストライカ構成体を挿通させた状態からのこのストライカ構成体の捻回操作によりこのストライカ構成体に形成された被抜け止め部に引っかかる抜け止め部を備えており、
しかも、この抜け止め部及び被抜け止め部の双方又はいずれか一方が、ストライカ構成体の軸方向において多段に形成されていることを特徴とする請求項１〜請求項４のいずれか１項に記載のポジショニング機構。
【請求項６】
回動体及びこの回動体を回動可能に支持する支持体のいずれか一方に備えられるストライカと、これらの他方に備えられて回動体の所定の往動位置でこのストライカを捕捉した後に移動して回動体の往動終了位置への往動をアシストする受け部材とを備えてなるアシスト機構における前記ストライカのポジショニング方法であって、
前記受け部材を備えた本体におけるストライカの進入空間に取り外し可能に取り付けられる誘導具を前記受け部材の進入空間内に取り付けると共に、前記回動体に取付ベースを取り付け且つ前記進入空間への前記ストライカの進入方向及びこの進入方向に略直交する方向に移動可能に備えられる前記ストライカのマウント部分に前記ストライカを取り付けない状態で、前記回動体を往動終了位置に往動させ、前記誘導具の内面により前記マウント部分をこのマウント部分にその後取り付けられる前記ストライカが前記受け部材に適切に捕捉される位置に位置づけられるように移動させ、この後前記マウント部分を固定することを特徴とするポジショニング方法。
【発明の詳細な説明】
【技術分野】
【０００１】
この発明は、往動終了位置に向けて往動される回動体に対し、所定の往動位置から往動終了位置までの間において、その往動をアシスト（補助）する機構を構成するストライカのポジショニング機構に関する。
【背景技術】
【０００２】
回動体としてのドアに備えられるストライカと、その支持体としてのドア枠に備えられてドアの所定の往動位置でこのストライカを捕捉した後に移動してドアの往動終了位置（閉じ位置）への往動をアシストする受け部材とを備えたアシスト機構（特許文献１参照）における前記往動のアシストは、ストライカと受け部材とがそれぞれ適切に配置されていなければ実現できない。この配置が不適切であると、ドアを往動させても受け部材にストライカが適切に捕捉されずアシスト機構の所期の動作を実現できなくなる。こうしたことから、特許文献１のアシスト機構では、ストライカをストライカベースに対し前後及び左右に移動可能に支持させると共に、ある位置でストライカを固定する可動パーツを外部から押し込み操作することでこの固定状態を解除してストライカのポジショニング（位置決め）をなすようにしている。
【先行技術文献】
【特許文献】
【０００３】
【特許文献１】特開２０１０−２０９６７３号公報
【発明の概要】
【発明が解決しようとする課題】
【０００４】
この発明が解決しようとする主たる問題点は、この種のアシスト機構を構成するストライカのポジショニングをより容易かつ適切に行えるようにする点にある。
【課題を解決するための手段】
【０００５】
前記課題を達成するために、この発明にあっては、第一の観点から、ポジショニング機構を、 回動体及びこの回動体を回動可能に支持する支持体のいずれか一方に備えられるストライカと、これらの他方に備えられて回動体の所定の往動位置でこのストライカを捕捉した後に移動して回動体の往動終了位置への往動をアシストする受け部材とを備えてなるアシスト機構における前記ストライカのポジショニング機構であって、
前記受け部材を備えた本体におけるストライカの進入空間内に取り外し可能に取り付けられる誘導具と、
前記ストライカの取付ベースに備えられる調整構造とよりなり、
前記調整構造は、前記進入空間へのストライカの進入方向及びこの進入方向に略直交する方向に前記取付ベースにおけるストライカのマウント部分を移動可能とする可動支持手段と、外部からの操作により前記マウント部分が前記移動をしないように固定する固定手段とを有しており、
前記進入空間内に誘導具を取り付け、前記回動体に取付ベースを取り付け且つ前記マウント部分にストライカを取り付けない状態で、前記回動体を往動終了位置に往動させたときに、前記誘導具の内面により前記マウント部分が、このマウント部分にその後取り付けられる前記ストライカが前記受け部材に適切に捕捉される位置に位置づけられるように、移動されるようになっているものとした。
【０００６】
また、前記課題を達成するために、この発明にあっては、第二の観点から、ポジショニング方法を、 回動体及びこの回動体を回動可能に支持する支持体のいずれか一方に備えられるストライカと、これらの他方に備えられて回動体の所定の往動位置でこのストライカを捕捉した後に移動して回動体の往動終了位置への往動をアシストする受け部材とを備えてなるアシスト機構における前記ストライカのポジショニング方法であって、
前記受け部材を備えた本体におけるストライカの進入空間に取り外し可能に取り付けられる誘導具を前記受け部材の進入空間内に取り付けると共に、前記回動体に取付ベースを取り付け且つ前記進入空間への前記ストライカの進入方向及びこの進入方向に略直交する方向に移動可能に備えられる前記ストライカのマウント部分に前記ストライカを取り付けない状態で、前記回動体を往動終了位置に往動させ、前記誘導具の内面により前記マウント部分をこのマウント部分にその後取り付けられる前記ストライカが前記受け部材に適切に捕捉される位置に位置づけられるように移動させ、この後前記マウント部分を固定するものとした。
【０００７】
かかるポジショニング機構及び方法によれば、アシスト機構を構成する受け部材に捕捉される、同じくアシスト機構を構成するストライカのポジショニングを、本体に誘導具を取り付けた状態から、回動体を往動終了位置に往動させ、この後ストライカのマウント部分を固定することで、容易かつ適切に行なうことができる。すなわち、前記のように回動体を往動終了位置に往動させることで、ストライカが受け部材に適切に捕捉される位置にマウント部分をいわば自動的に移動させることができ、この後前記固定をなすことでこのマウント部分に取り付けられるストライカのポジショニングをなすことができる。誘導具は受け部材を備えた本体におけるストライカの進入空間内に取り付けられることから、この進入空間の内面とストライカとの間には誘導具の厚さ分のクリアランスを確保させた状態で前記ポジショニングをなすことができる。
【発明の効果】
【０００８】
この発明によれば、アシスト機構を構成する受け部材に捕捉される、同じくアシスト機構を構成するストライカのポジショニングを、回動体を往動終了位置に往動させる操作によっていわば自動的になすことができ、かかるポジショニングを容易かつ適切に行なうことができる。
【図面の簡単な説明】
【０００９】
【図１】図１は実施の形態にかかるアシスト機構を構成する受け部材を内蔵した本体を取り付け状態において下方となる側から見て示した底面図であり、受け部材は回り込み位置にある。
【図２】図２は前記本体を図１の下側から見て示した側面図である。
【図３】図３は前記本体を取り付け状態において下方となる側から見て示した底面図であり、受け部材は待機位置にある。
【図４】図４は受け部材を回り込み位置に位置づけた前記本体におけるストライカの進入空間に誘導具を嵌め付けた状態から、回動体としてのドアを往動させきった状態を示した要部底面構成図である。
【図５】図５は前記本体及びストライカの取付ベースの取り付け状態を示した要部斜視構成図である。
【図６】図６は誘導具の斜視図である。
【図７】図７はストライカの取付ベースの斜視図である。
【図８】図８は前記取付ベースを構成する第二スライダ側と台座とを分離した状態で示した斜視図である。
【図９】図９は前記取付ベースを構成する第二スライダ側と台座とを分離した状態で示した斜視図であり、図８と反対の側から見て両者を示している。
【図１０】図１０は前記取付ベースを構成する第一スライダと第二スライダとを分離させた状態で示した斜視図である。
【図１１】図１１は第二スライダのケースアッパーの斜視図である。
【図１２】図１２は第二スライダのケースロアの斜視図である。
【図１３】図１３は第一スライダの主要部の斜視図である。
【図１４】図１４は第一スライダの主要部の側面図である。
【図１５】図１５は図１４におけるＡ−Ａ線断面図である。
【図１６】図１６は取付ベースに内蔵されるロック体の斜視図である。
【図１７】図１７は第一スライダを構成する分割ピースの斜視図である。
【図１８】図１８は取付ベースの縦断面図であり、台座の記載は省略していると共に、取付ベースに内蔵されるロック体は非ロック位置にある。
【図１９】図１９は前記ロック体とリフト体の斜視図である。
【図２０】図２０は前記ロック体が非ロック位置にあるときのこのロック体とリフト体の組み合わせ状態を示した斜視図である。
【図２１】図２１は前記ロック体がロック位置にあるときのこのロック体とリフト体の組み合わせ状態を示した側面図である。
【図２２】図２２は図２１におけるＢ−Ｂ線断面図である。
【図２３】図２３はストライカ構成体の断面図である。
【図２４】図２４はストライカ構成体の断面図であり、ストライカ及び中間スリーブは最も引き込まれた状態にある。
【図２５】図２５はストライカ体のマウント部分のポジショニングが完了した状態からこのマウント部分にストライカ構成体の挿通を開始した状態を示した要部斜視図である。
【図２６】図２６は前記マウント部分にストライカ構成体を挿通させきった状態を示した要部斜視図である。
【図２７】図２７は図２６の状態からストライカ構成体を捻回させた状態を示した要部斜視図である。
【図２８】図２８はストライカ構成体を構成する下部スリーブの斜視図である。
【図２９】図２９は図２７の状態での前記下部スリーブと前記分割ピースの位置関係を、両者のみを表して示した断面図である。
【発明を実施するための形態】
【００１０】
以下、図１〜図２９に基づいて、この発明の典型的な実施の形態について説明する。この実施の形態にかかるポジショニング機構は、往動終了位置に向けて往動される回動体１に対し、所定の往動位置から往動終了位置までの間において、その往動をアシスト（補助）する機構を構成するストライカ３を、同じくこのアシスト機構を構成する受け部材４に前記所定の往動位置において適切に捕捉されるように位置決めさせるものである。典型的には、かかるポジショニング機構は、前記アシスト機構の設置段階において機能される。
【００１１】
前記回動体１は、支持体２に往動回動及び復動回動可能に支持されるものであり、典型的には、ドアや開き戸などがあげられるが、支持体２に往動回動及び復動回動可能に支持されるものであれば足りこれらに限られるものではない。図示の例では、かかるアシスト機構をドア１’とドア枠２’とに備えさせた例を示している。
【００１２】
図示の例では、回動体１としてのドア１’は、支持体２としてのドア枠２’の戸当たり部２ａに往動時に先頭となる一面１ａを向き合わせた閉じ位置（往動終了位置）においてドア枠２’の内方の開口部を閉塞するようになっている。そして、回動体１としてのドア１’は、かかる開口部を閉塞しない開き位置から、前記閉じ位置に向けて往動操作されると、この往動の過程で、アシスト機構を構成する受け部材４にアシスト機構を構成するストライカ３が当接して、かかる閉じ位置までアシスト機構の作用を蒙るようになっている。
【００１３】
図示の例ではかかるストライカ３は、回動体１としてのドア１’の側に取り付けられている。したがって、図示の例では、支持体２としてのドア枠２’の側に受け部材４が備えられている。なお、図示の例とは別に、ストライカ３を支持体２としてのドア枠２’の側に取り付けて、受け部材４を回動体１としてのドア１’側に備えさせても、かかる回動体１の往動をその途中からアシストすることができる。
【００１４】
図示の例では、ストライカ３は、取付ベース５を介してドア１’における往動時に先頭となる一面１ａの前方に位置づけられている。より具体的には、図示の例では、かかるストライカ３はドア１’のドアヒンジ側においてドア１’の上端側に備えられている。
【００１５】
前記取付ベース５は、第一スライダ５０と、第二スライダ５１と、台座５２とを有する。第二スライダ５１はケースアッパー５１ａとケースロア５１ｂとを組み合わせてなりケース状を呈している。第一スライダ５０は前端５０ａをこの第二スライダ５１の前部から前方に突き出させ、かつ、その余の部分をこの第二スライダ５１内に納めた状態で、前後動可能にこの第二スライダ５１に組み合わされている。一方、第二スライダ５１は、その後部において左右方向に移動可能に前記台座５２に組み合わされている。第一スライダ５０の前端５０ａにストライカ３のマウント部分５０ｂが形成されている。ストライカ３は実質的に軸状をなすストライカ構成体６の上端側によって構成されており、このマウント部分５０ｂに下方からストライカ構成体６を挿入することで第一スライダ５０から上方に突き出す。ストライカ３は、ドア１’の閉じ位置向けた往動時において、ドア枠２’の枠上部に備えられる受け部材４に、ドア１’が閉じきる直前において捕捉されるようになっている。
【００１６】
一方、受け部材４は、回動体１の所定の往動位置においてストライカ３を捕捉した後に移動して回動体１の往動終了位置への往動をアシストするように構成されている。
【００１７】
図示の例では、かかる受け部材４は、ドア枠２’に取り付けられる本体７内に内蔵され、この本体７を介してドア枠２’に備えられるようになっている。本体７は、その上部をもってドア枠２’に取り付けられるようになっている。また、本体７は、その左右方向中程の位置にストライカ３の進入空間７ａを有すると共に、この進入空間７ａ内に受け部材４を有している。進入空間７ａは、本体７の前部７ｂ、すなわち、ドア１’に向き合う側と、本体７の下部とにおいて開放されており、ドア１’の往動が前記所定の往動位置に達すると本体７の前部７ｂより進入空間７ａ内にストライカ３が入り込むようになっている。
【００１８】
受け部材４は、待機位置（図３の位置）と回り込み位置（図１の位置）との間に亘る回動可能に本体７に組み合わされている。図示の例では、受け部材４の回動軸は上下方向に沿って配され、また、受け部材４は前記回動の過程で左右方向に移動されるようになっている。（図３〜図１）受け部材４の下面４ｃには、溝状をなす捕捉凹所４ａが形成されている。そして、図示の例では、前記待機位置において受け部材４の捕捉凹所４ａの入り口４ｂが往動時のドア１’の接近側、つまり前方に向けられると共に、（図３）この待機位置にある受け部材４の捕捉凹所４ａにドア１’を前記所定の往動位置まで往動させるとストライカ３が入り込むようになっている。そして、このように捕捉凹所４ａにストライカ３が入り込むと受け部材４が捕捉凹所４ａの入り口４ｂを側方に向ける回り込み位置に向けて正転され、捕捉凹所４ａにストライカ３が捕捉されると共に、この正転にその途中から図１において符号７ｃで示す付勢手段としてのバネの付勢力が作用されて、このように正転される受け部材４によってドア１’の往動終了位置に向けた往動がアシストされるようになっている。かかる受け部材４の正転によりストライカ３は捕捉凹所４ａの奥端側に次第に移動され、往動終了位置においてはストライカ３は捕捉凹所４ａの最奥端に位置されるようになっている。往動終了位置にあるドア１’を復動させると、ストライカ３を捕捉している受け部材４は前記バネ７ｃに蓄勢させながら待機位置までこれに連れて逆転され、待機位置に至ると捕捉凹所４ａからストライカ３が抜け出し解放されドア１’の復動が許容される。
【００１９】
回動体１としてのドア１’を前記所定の往動位置まで往動させると、前記進入空間７ａに前記第一スライダ５０も入り込むが、この第一スライダ５０の上面５０ｃは、受け部材４の下面４ｃ下に位置され、前記捕捉凹所４ａにはストライカ３のみが入り込むようになっている。
【００２０】
この実施の形態にかかるポジショニング機構は、前記受け部材４を備えた本体７におけるストライカ３の進入空間７ａ内に取り外し可能に取り付けられる前記マウント部分５０ｂの誘導具８（治具）と、前記ストライカ３の取付ベース５に備えられる調整構造とよりなる。
【００２１】
かかる誘導具８は、前記本体７の進入空間７ａに、下方から嵌め込まれるようになっている。かかる誘導具８は、進入空間７ａへのストライカ３の進入方向ｘに沿った案内面８ａと、この進入方向に略直交する当接面８ｂとを備えている。
【００２２】
図示の例では、誘導具８は、前記進入空間７ａに相補的に嵌り込む嵌め込み部８ｃを有している。嵌め込み部８ｃは、進入空間７ａ同様、前方及び下方を開放させると共に、下端にはフランジ８ｄを有している。誘導具８は、このフランジ８ｄを本体７の下部に接しさせ、かつ、嵌め込み部８ｃの上部を受け部材４の下面４ｃに接しさせるようにして進入空間７ａに嵌め込ませることで、本体７に取り付けられるようになっている。（図４、図５）嵌め込み部８ｃの内部には、前記当接面８ｂを構成する奥壁と、左右側壁が形成されている。左右側壁の一方は前記案内面８ａを構成し、奥壁と略直角に交わり、左右側壁の他方は弾性変形部８ｅとして構成されている。図示の例では、かかる当接面８ｂに前記第一スライダ５０のマウント部分５０ｂが接し、かつ、案内面８ａと弾性変形部８ｅとの間でマウント部分５０ｂよりも後方で第二スライダ５１が挟み付けられるようになった状態において、マウント部分５０ｂが所定位置、つまり、このマウント部分５０ｂにストライカ３を取り付けた場合に受け部材４の捕捉凹所４ａにこのストライカ３が適正に捕捉される位置に位置されるようになっている。（図４）より具体的には、図示の例では、誘導具８は、受け部材４を前記回り込み位置に位置させた状態で本体７に前記のように取り付けられるようになっていると共に、図４に示される状態にマウント部分５０ｂをポジショニングさせた状態からドア１’を開いて本体７から誘導具８を取り外し、この後にマウント部分５０ｂにストライカ３を取り付けた場合に受け部材４の捕捉凹所４ａの最奥端にストライカ３が位置されるようになっている。
【００２３】
すなわち、この実施の形態にあっては、かかる誘導具８を進入空間７ａに嵌め込むと共に、回動体１としてのドア１’に取付ベース５を取り付け且つ前記マウント部分５０ｂにストライカ構成体６を取り付けない状態で、かかるドア１’を閉じ位置まで往動させることにより、前記当接面８ｂによりマウント部を前後にポジショニングさせ、かつ、前記案内面８ａによりマウント部分５０ｂを左右にポジショニングさせて、このマウント部分５０ｂを、すなわち、最終的には前記ストライカ３を前記所定位置にいわば自動的にポジショニングできるようになっている。
【００２４】
一方、前記調整構造は、前記進入空間７ａへのストライカ３の進入方向ｘ、図示の例では前後方向、及びこの進入方向に略直交する方向、図示の例では左右方向に、前記取付ベース５におけるストライカ３のマウント部分５０ｂを移動可能とする可動支持手段と、外部からの操作により前記マウント部分５０ｂが前記移動をしないように固定する固定手段とから構成されている。
【００２５】
可動支持手段は、前記のように組み合わされる第一スライダ５０と、第二スライダ５１と、台座５２とによって構成されている。
【００２６】
第一スライダ５０は、第二スライダ５１から前方に突き出す前端５０ａにマウント部分５０ｂを備えている。マウント部分５０ｂは、図示の例では、上下方向に筒軸を沿わせると共に、筒上端と筒下端を共に開放させた筒状を呈している。前記ストライカ構成体６は、かかるマウント部分５０ｂの筒下端からこのマウント部分５０ｂ内に差し込まれるようになっており、このマウント部分５０ｂの内部がストライカ構成体６の挿通部となっている。このマウント部分５０ｂの内部には、このマウント部分５０ｂに挿通されたストライカ構成体６の抜け止め部５０ｄが形成されている。この抜け止め部５０ｄは、ストライカ構成体６の軸方向、つまり、マウント部分５０ｂの筒軸方向において多段となるように形成されている。図示の例では、かかる抜け止め部５０ｄは、マウント部分５０ｂの筒軸を中心とした仮想の螺旋に沿って形成される雌ねじ部の一部を、マウント部分５０ｂの内部に形成させてなる。図示の例では、マウント部分５０ｂの内面のうち、このマウント部分５０ｂを筒軸を通る図示しない仮想の直線によって前後に二分したときに、後方に位置される内面であって、マウント部分５０ｂの上下方向中程の位置に、抜け止め部５０ｄが多段に形成されている。図示の例では、最下段の抜け止め部５０ｄとマウント部分５０ｂの筒下端との間に、突起状をなす追加抜け止め部５０eが形成されている。
【００２７】
かかる第一スライダ５０における第二スライダ５１内に納められている箇所は、ストライカ３の進入方向ｘに壁面を沿わせると共に、内面間に前記固定手段を構成する後述のロック体９の第一掛合部９０の形成された前部ロック部９２を納める間隔を開けた左右一対の壁体５０ｆ、５０ｆから構成されている。かかる左右一対の壁体５０ｆ、５０ｆの前端がマウント部分５０ｂに一体に連接されている。図示の例では、この連接箇所において第一スライダ５０に形成された空所５０ｇに、前記抜け止め部５０ｄ及び追加抜け止め部５０eを備えた分割ピース５０ｈを組み込むことにより、マウント部分５０ｂの内部にかかる抜け止め部５０ｄと追加抜け止め部５０eとが形成されるようになっている。かかる左右一対の壁体５０ｆ、５０ｆにはそれぞれ、その上縁側の内面に、前後方向に続くラック５０ｉが形成されている。このラック５０ｉが前記固定手段を構成する後述のロック体９の第一掛合部９０に対する第一被掛合部５０ｊとして機能するようになっている。
【００２８】
第二スライダ５１は、左右方向に長い略長方形の盤状をなす背部５１ｃを有すると共に、この背部５１ｃから前方に突き出す突出部５１ｄを有している。かかる突出部５１ｄの突きだし端は開放されており、この開放箇所５１ｅから前記マウント部分５０ｂが形成された第一スライダ５０の前端５０ａが突き出されるようになっている。前記第一スライダ５０は、第二スライダ５１における前記背部５１ｃと開放箇所５１ｅとの間において一定の範囲において前後にスライド移動可能な状態で、この第二スライダ５１内に前記一対の壁体５０ｆ、５０ｆを納めている。第二スライダ５１における突出部５１ｄの内部であって、前後方向略中程となる位置には、前側ガイド壁５１ｆと、後側ガイド軸５１ｇとが形成されており、両者の間において前記記固定手段を構成する後述のロック体９の前部ロック部９２が上下動可能に支持されるようになっている。
【００２９】
また、図示の例では、前記前側ガイド壁５１ｆと第一スライダ５０のマウント部分５０ｂとの間に圧縮コイルバネ５１ｈが介装されるようになっている。このバネ５１ｈの付勢によって第一スライダ５０は、一対の壁体５０ｆ、５０ｆの外面に形成された突部５０ｋを第二スライダ５１の開放箇所５１ｅ近傍の内部に形成された段部５１ｉに引っ掛ける最大前進位置からこのバネ５１ｈに蓄勢させながら後方に移動されるようになっている。
【００３０】
また、第二スライダ５１の背部５１ｃには、前記固定手段を構成する後述のロック体９の第二掛合部９１の形成された後部ロック部９３を外部に臨ませる窓穴５１ｊが形成されている。
【００３１】
台座５２は、実質的に、左右方向に長い略長方形状をなす板状を呈している。図示の例では、台座５２の上縁部には、左右方向に亘って、後方に突き出す庇部５２ａが形成されており、台座５２はこの庇部５２ａをドア１’の上端部に引っ掛け、かつ、その背面をドア１’における往動時に先頭となる一面１ａに密着させた状態で、台座５２を前後に貫通する左右二箇所の貫通穴５２ｂ、５２ｂを利用してドア１’にネジ止めされるようになっている。
【００３２】
図示の例では、かかる台座５２の上縁部にはまた、この台座５２の前面側において、下方に溝口を向けたガイド溝５２ｃが左右方向に亘って形成されている。それと共に、前記第二スライダ５１の背部５１ｃの下縁部には、この背部５１ｃの後面側において、上方に溝口を向けたガイド溝５１ｋが左右方向に亘って形成されている。図示の例では、前記のようにドア１’に台座５２を取り付けた状態から、第二スライダ５１の背部５１ｃの上縁部５１ｍを台座５２のガイド溝５２ｃの一端からこのガイド溝５２ｃ内に入れ込むと共に、台座５２の下縁部５２ｄを第二スライダ５１のガイド溝５１ｋの一端からこのガイド溝５１ｋ内に入れ込むことにより、台座５２に対し左右にスライド移動可能な状態で第二スライダ５１が組み合わされるようになっている。
【００３３】
また、かかる台座５２の前面であって、前記のように第二スライダ５１が移動するときに前記窓穴５１ｊに向き合う箇所には、左右方向に続くラック５２ｅが形成されている。このラック５２ｅが前記固定手段を構成する後述のロック体９の第二掛合部９１に対する第二被掛合部５２ｆとして機能するようになっている。
【００３４】
一方、前記固定手段は、第二スライダ５１に移動可能に、図示の例では、第二スライダ５１内においてこの第二スライダ５１に上下動可能に支持されるロック体９によって構成されている。
【００３５】
かかるロック体９は、前記第一スライダ５０に形成させた第一被掛合部５０ｊに対する第一掛合部９０と、台座５２に形成させた第二被掛合部５２ｆに対する第二掛合部９１とを備えている。また、かかるロック体９は、外部からの、つまり、第二スライダ５１の外側からの操作により、前記第一被掛合部５０ｊに第一掛合部９０を掛合させず、かつ、前記第二被掛合部５２ｆに第二掛合部９１を掛合させない非ロック位置から、これら被掛合部５０ｊ、５２ｆに掛合部９０、９１を掛合させるロック位置に移動されるようになっている。
【００３６】
図示の例では、かかるロック体９は、前部ロック部９２と、後部ロック部９３と、従動側カム部９４とを有している。
【００３７】
前部ロック部９２は、第二スライダ５１の前側ガイド壁５１ｆと後側ガイド軸５１ｇとの間に隙間少なく納まる前後寸法と、第一スライダ５０の左右一対の壁体５０ｆ、５０ｆ間に隙間少なく納まる左右寸法とを備えた、直方体状を呈している。図示の例では、この前部ロック部９２の左右の側面部にそれぞれ、第一被掛合部５０ｊのラック５０ｉに相補的に噛み合うラック９５が形成されており、このラック９５が前記第一掛合部９０として機能するようになっている。
【００３８】
後部ロック部９３は、左右方向に長く、かつ、上下方向に板面を配した長方形の板状を呈している。後部ロック部９３は、その前面と前部ロック部９２の後端との間に前記後側ガイド軸５１ｇの通し部９６を形成させた状態で、連接部９７をもって前部ロック部９２に一体に連接されている。また、後部ロック部９３の後面は前記窓穴５１ｊを通じて第二スライダ５１の背部５１ｃから外部に臨んでいる。図示の例では、この後部ロック部９３の後面に、第二被掛合部５２ｆのラック５２ｅに相補的に噛み合うラック９８が形成されており、このラック９８が前記第二掛合部９１として機能するようになっている。
【００３９】
従動側カム部９４は、前部ロック部９２の下部に形成されている。従動側カム部９４は、仮想の垂直軸ｙ（図１９）を挟んだ両側にそれぞれ形成されている。各従動側カム部９４はそれぞれ、前記垂直軸ｙを巡る螺旋に沿った傾斜カム面９４ａと、この傾斜カム面９４ａの最下端に続く水平面９４ｂとを有している。前記垂直軸ｙを巡る方向において二箇所の従動側カム部９４の一方の水平面９４ｂと他方の傾斜カム面９４ａの最上端とが隣り合うようになっている。
【００４０】
第二スライダ５１の内部であって、かかるロック体９の下方に、このロック体９をロック位置に不可逆的に移動させるリフト体１０が備えられている。リフト体１０は、実質的に短寸の円筒状を呈すると共に、筒下端側をその余の箇所より小径に構成されている。そして、ロック体９の支持位置の直下において、ケースロア５１ｂに形成された軸穴５１ｎに小径の筒下端１００を回転可能に納めて、第二スライダ５１に組み合わされている。このリフト体１０の上部に前記従動側カム部９４に対する起動側カム部１０１が形成されている。起動側カム部１０１は、リフト体１０の筒軸ｙ’を挟んだ両側にそれぞれ形成されている。各起動側カム部１０１はそれぞれ、前記筒軸ｙ’を巡る螺旋に沿った傾斜カム面１０１ａと、この傾斜カム面１０１ａの最上端に続く水平面１０１ｂとを有している。前記筒軸ｙ’を巡る方向において二箇所の起動側カム部１０１、１０１の一方の水平面１０１ｂと他方の傾斜カム面１０１ａの最下端とが隣り合うようになっている。
【００４１】
そして、この実施の形態にあっては、ロック体９は前記非ロック位置において最も下方に位置されると共に、この非ロック位置において、ロック体９の一対の従動側カム部９４、９４間に形成される二箇所の空間にそれぞれ、この従動側カム部９４の傾斜カム面９４ａに起動側カム部１０１の傾斜カム面１０１ａを向き合わせた状態で、対応する起動側カム部１０１が納められるようになっている。（図１８、図２０）図示の例では、ケースアッパー５１ａとロック体９との間に圧縮コイルバネ５１ｏが介装されるようになっている。そして、このバネ５１ｏの付勢によってロック体９は、前記非ロック位置に位置づけられるようになっている。
【００４２】
かかるロック体９が非ロック位置にあるときは、第一掛合部９０は第一被掛合部５０ｊの下方に位置され、かつ、第二掛合部９１も第二被掛合部５２ｆの下方に位置されるようになっている。（図１８）この状態において、前記誘導具８を進入空間７ａに嵌め込むと共に、回動体１としてのドア１’に取付ベース５を取り付け且つ前記マウント部分５０ｂにストライカ構成体６を取り付けない状態で、かかるドア１’を閉じ位置まで往動させると、前記マウント部分５０ｂは誘導具８によって案内されて前記のようにいわば自動的にポジショニングされる。（図４）このポジショニング終了状態から、リフト体１０を回動操作すると、前記起動側カム部１０１の傾斜カム面１０１ａと従動側カム部９４の傾斜カム面９４ａとの摺接によって、前記ロック体９は前記バネ５１ｏに蓄勢させながら上方に移動される。図示の例では、この移動の過程で第一掛合部９０が第一被掛合部５０ｊに噛み合い、かつ、第二掛合部９１が第二被掛合部５２ｆに噛み合い、マウント部分５０ｂの前記ポジショニング終了状態の保持がなされる。リフト体１０が、起動側カム部１０１の傾斜カム面１０１ａの最上端上に従動側カム部９４の傾斜カム面９４ａの最下端を位置させる位置まで回動されると、起動側カム部１０１の水平面１０１ｂと従動側カム部９４の水平面９４ｂとが接し合った状態になり、前記バネ５１ｏの付勢にかかわらずロック体９がロック位置にある状態は維持される。図示の例では、リフト体１０の筒下端中央に前記回動操作をドライバを利用してなせるようにこのドライバの先端が嵌る穴１０１ｃが形成されている。図示の例では、リフト体１０の二箇所の起動側カム部１０１、１０１の一方の水平面１０１ｂの形成箇所近傍に、このリフト体１０の側部から側方に突き出す回り止め部１０１ｄが形成されており、（図２２）ロック体９をロック位置まで移動させるリフト体１０の正転方向の回動はこの回り止め部１０１ｄがケースロア５１ｂの内部に形成された図示しない規制部に突き当たる位置で停止されるようになっている。なお、この実施の形態にあっては、前記のようにロック体９をロック位置に位置づけた状態から、リフト体１０を逆転回動させると、前記起動側カム部１０１の水平面１０１ｂと従動側カム部９４の水平面９４ｂとが接し合った状態が解かれ、前記バネ５１ｏの付勢によりロック体９は下降し再びこのロック体９の一対の従動側カム部９４、９４間に形成される二箇所の空間にそれぞれ対応する起動側カム部１０１が納まりロック体９は非ロック位置に復帰されるようになっている。
【００４３】
また、この実施の形態にあっては、このように前記マウント部分５０ｂをポジショニング終了後の位置において固定させた後に、ドア１’を復動させて本体７から誘導具８を取り外し、ついで、ドア１’を往動終了位置まで往動させた状態からこのマウント部分５０ｂの挿通部にストライカ構成体６を挿通させると共に、このストライカ構成体６を捻回操作することにより、ストライカ３の上下方向の位置決めができるようになっている。
【００４４】
図示の例では、ストライカ構成体６は、軸状のストライカ３と、このストライカ３を上下動可能に支持する中間スリーブ６０と、この中間スリーブ６０を上下動可能に支持する下部スリーブ６１と、中間スリーブ６０内に納められた内部スリーブ６２と、下部スリーブ６１とストライカ３との間に介装された第一圧縮コイルバネ６３と、内部スリーブ６２と下部スリーブ６１との間に介装された第二圧縮コイルバネ６４とを備えている。
【００４５】
ストライカ３は下端に外鍔３ａを有し、この外鍔３ａを第一圧縮コイルバネ６３の付勢により中間スリーブ６０の上端に形成させた内鍔６０ａに引っ掛けてその上端側を中間スリーブ６０から上方に突き出させている。中間スリーブ６０の内部スリーブ６２とは、中間スリーブ６０の側部に形成させた貫通穴６０ｂに内部スリーブ６２の一部を入り込ませて組み合わされており、この内部スリーブ６２を介して第二圧縮コイルバネ６４の付勢により無負荷状態では下部スリーブ６１内にその下端のみを入り込ませてその余の箇所を下部スリーブ６１から突き出すようになっている。
【００４６】
かかる中間スリーブ６０の外面に、前記マウント部分５０ｂの挿通部の内部に形成された抜け止め部５０ｄに引っかかる被抜け止め部６０ｃが形成されている。かかる被抜け止め部６０ｃは、ストライカ構成体６の軸方向において多段となるように形成されている。図示の例では、かかる被抜け止め部６０ｃは、ストライカ構成体６の軸中心線を中心とした仮想の螺旋に沿って形成される雄ねじ部の一部を、中間スリーブ６０に形成させてなる。図示の例では、中間スリーブ６０の外面のうち、この中間スリーブ６０をその筒軸を通る仮想の直線によって二分したときの一方側の外面であって、中間スリーブ６０の下端から上下方向中程の位置までの間に、前記被抜け止め部６０ｃが多段に形成されている。
【００４７】
また、図示の例では、下部スリーブ６１の外面に、マウント部分５０ｂの内部に形成された前記追加抜け止め部５０eを受け入れる凹所６１ａが形成されている。
【００４８】
マウント部分５０ｂの挿通部へのストライカ構成体６の挿通は、最上段の被抜け止め部６０ｃが最下段の抜け止め部５０ｄに当たらない向きでのみ可能とされる。（図２５）マウント部分５０ｂ上に受け部材４の捕捉凹所４ａを位置させた状態からストライカ構成体６をマウント部分５０ｂに挿通させきると第一圧縮コイルバネ６３を圧縮させながらストライカ３が中間スリーブ６０内に引き込まれると共に、受け部材４の下面４ｃに押されて第二圧縮コイルバネ６４を圧縮させながら中間スリーブ６０体が下部スリーブ６１体内に引き込まれる。（図２６）中間スリーブ６０体の引き込み量は、受け部材４とマウント部分５０ｂとの間の距離に応じて増減する。この状態からストライカ構成体６を所定の角度分その軸中心線を中心に捻回すると被抜け止め部６０ｃが抜け止め部５０ｄにいわば螺合し、中間スリーブ６０を前記のように引き込ませた状態が維持される。（図２７）これにより、ストライカ３の上下方向の位置決めがなされる。図示の例では、下部スリーブ６１の下端外周には外鍔６１ｂが形成されており、この外鍔６１ｂがマウント部分５０ｂの下端に当たる位置までマウント部分５０ｂの挿通部にストライカ構成体６を挿通できるようになっている。また、この下部スリーブ６１の下端中央にはストライカ構成体６の前記捻回操作をドライバを利用してなせるようにこのドライバの先端が嵌る穴６１ｃが形成されている。なお、前記捻回により中間スリーブ６０体は被抜け止め部６０ｃの倣う前記螺旋の傾斜分やや下方に下がり、中間スリーブ６０体の上端と受け部材４の下面４ｃとの間にはクリアランスがいわば自動的に形成される。図示の例では、前記分割ピース５０ｈの後面に第一スライダ５０を付勢するバネ５１ｈの前端５０ａが当接されており、分割ピース５０ｈはこのバネ５１ｈの付勢に抗して前後方向にわずかに可動するようになっている。これにより、分割ピース５０ｈはストライカ構成体６の前記捻回時は追加抜け止め部５０eを下部スリーブ６１の外面に接させてわずかに後退されると共に、捻回終了位置で前記バネ５１ｈの付勢により後退前の位置に戻り追加抜け止め部５０eを下部スリーブ６１に形成した凹所６１ａに掛合させるようになっている。
【符号の説明】
【００４９】
ｘ  進入方向
１  回動体
３  ストライカ
４  受け部材
５  取付ベース
５０ｂ  マウント部分
７  本体
７ａ  進入空間
８  誘導具
【図１】
0005943600.tif 000002
【図２】
0005943600.tif 000003
【図３】
0005943600.tif 000004
【図４】
0005943600.tif 000005
【図５】
0005943600.tif 000006
【図６】
0005943600.tif 000007
【図７】
0005943600.tif 000008
【図８】
0005943600.tif 000009
【図９】
0005943600.tif 000010
【図１０】
0005943600.tif 000011
【図１１】
0005943600.tif 000012
【図１２】
0005943600.tif 000013
【図１３】
0005943600.tif 000014
【図１４】
0005943600.tif 000015
【図１５】
0005943600.tif 000016
【図１６】
0005943600.tif 000017
【図１７】
0005943600.tif 000018
【図１８】
0005943600.tif 000019
【図１９】
0005943600.tif 000020
【図２０】
0005943600.tif 000021
【図２１】
0005943600.tif 000022
【図２２】
0005943600.tif 000023
【図２３】
0005943600.tif 000024
【図２４】
0005943600.tif 000025
【図２５】
0005943600.tif 000026
【図２６】
0005943600.tif 000027
【図２７】
0005943600.tif 000028
【図２８】
0005943600.tif 000029
【図２９】
0005943600.tif 000030